(57)【要約】【課題】  噴射力および噴射音の発生を抑制することができ、噴霧対象面に対して優れた付着性の得られる噴霧用エアゾール組成物、およびエアゾール容器内に充填されている内容物を、噴射力および噴射音の発生を抑制しつつ噴霧対象面に対して高い付着率で噴射することのできるエアゾール製品の提供。【解決手段】  噴霧用エアゾール組成物は、原液４０〜７５質量％と噴射剤２５〜６０質量％とを含有してなり、噴射剤が、沸点が−５℃以下である液化ガス７０〜９５質量％と沸点が２０〜３８℃である炭化水素系溶剤５〜３０質量％とを含有する混合ガスよりなり、噴射物を構成する噴霧粒子の平均粒子径が３０〜８０μｍであることを特徴とし、エアゾール製品は、上記エアゾール組成物がエアゾール用バルブを備えた耐圧容器内に充填され、当該バルブがベーパータップを有するハウジングを備え、当該ハウジングに係るベーパータップ比が０．８以下であることを特徴とする。【選択図】  なし【特許請求の範囲】
【請求項１】
噴射によって霧状の噴射物を形成し、その噴射物を噴霧対象面に対して付着させるための噴霧用エアゾール組成物であって、
原液４０〜７５質量％と、噴射剤２５〜６０質量％とを含有してなり、
当該噴射剤が、沸点が−５℃以下である液化ガス７０〜９５質量％と、沸点が２０〜３８℃である炭化水素系溶剤５〜３０質量％とを含有する混合ガスよりなり、
霧状の噴射物を構成する噴霧粒子の平均粒子径が３０〜８０μｍであることを特徴とする噴霧用エアゾール組成物。
【請求項２】
噴射剤を構成する沸点が２０〜３８℃である炭化水素系溶剤が、イソペンタンおよびノルマルペンタンから選ばれた少なくとも一種であることを特徴とする請求項１に記載の噴霧用エアゾール組成物。
【請求項３】
噴霧対象面に対する付着率が３０％以上であって噴射力が３ｇｆ以下であることを特徴とする請求項１または請求項２に記載の噴霧用エアゾール組成物。
【請求項４】
噴射音の音圧レベルが６５ｄＢ以下であることを特徴とする請求項１〜請求項３のいずれかに記載の噴霧用エアゾール組成物。
【請求項５】
請求項１〜請求項４のいずれかに記載の噴霧用エアゾール組成物がエアゾール用バルブを備えた耐圧容器内に充填されてなるものであり、
エアゾール用バルブがベーパータップを有するハウジングを備え、当該ハウジングには耐圧容器内に充填された噴霧用エアゾール組成物を導入するための下孔と横孔とが形成されており、下孔の面積に対するベーパータップを構成する横孔の面積の比であるベーパータップ比が０．８以下であることを特徴とするエアゾール製品。
【発明の詳細な説明】
【技術分野】
【０００１】
本発明は、霧状の噴射物を形成し、その噴射物を噴霧対象面に対して付着させるための噴霧用エアゾール組成物およびエアゾール製品に関する。
【背景技術】
【０００２】
エアゾール組成物の或る種のものとしては、その目的や用途に応じた種々の成分を含有する原液と、噴射剤とにより構成され、霧状の噴射物を形成するものが知られている（例えば、特許文献１参照。）。
このような噴霧用エアゾール組成物は、芳香消臭剤、空間殺虫剤などの空間を噴霧対象とし、霧状の噴射物を噴霧対象である空間全体に均一に分散させることを目的とする空間スプレーなどとして用いられている他、ヘアスプレー、ボディースプレー、ガラスクリーナー、撥水剤、接着剤および塗料などのあるものの表面を噴霧対象とし、霧状の噴射物を噴霧対象面としての適用対象個所に付着させ、これにより塗布を行うことを目的とする表面スプレーなどとして広く用いられている。
【０００３】
従来、表面スプレーとして用いられる噴霧用エアゾール組成物においては、霧状に噴射される噴射物のミスト（噴霧粒子）をより微細なものにし、かつそのような噴射物をより大きな噴霧対象面に対して均一に噴射することのできるものを提案すべく研究が重ねられてきた。
しかしながら、このような噴霧特性を有する噴霧用エアゾール組成物においては、適用する際に噴射物のミストが適用対象個所の周囲に飛散することに起因して使用者や周囲の者が噴射物のミストを吸引することによってむせたり、適用対象個所に十分な付着量が得られず、また、特に人体に適用するものである場合には、適用対象個所に対して噴射物が大きな力で吹き付けられるために良好な使用感が得られない、という問題がある。      
【０００４】
【特許文献１】特許第３２４７７８７号公報
【発明の開示】
【発明が解決しようとする課題】
【０００５】
本発明は、以上のような事情に基いてなされたものであって、その目的は、噴射力および噴射音の発生を抑制することができ、噴霧対象面に対して優れた付着性の得られる噴霧用エアゾール組成物を提供することにある。
また、本発明の他の目的は、エアゾール容器内に充填されている内容物を、噴射力および噴射音の発生を抑制しつつ噴霧対象面に対して高い付着率で噴射することのできるエアゾール製品を提供することにある。
【課題を解決するための手段】
【０００６】
本発明の噴霧用エアゾール組成物は、噴射によって霧状の噴射物を形成し、その噴射物を噴霧対象面に対して付着させるための噴霧用エアゾール組成物であって、
原液４０〜７５質量％と、噴射剤２５〜６０質量％とを含有してなり、
当該噴射剤が、沸点が−５℃以下である液化ガス７０〜９５質量％と、沸点が２０〜３８℃である炭化水素系溶剤５〜３０質量％とを含有する混合ガスよりなり、
霧状の噴射物を構成する噴霧粒子の平均粒子径が３０〜８０μｍであることを特徴とする。
【０００７】
本発明の噴霧用エアゾール組成物においては、噴射剤を構成する沸点が２０〜３８℃である炭化水素系溶剤が、イソペンタンおよびノルマルペンタンから選ばれた少なくとも一種であることが好ましい。
【０００８】
本発明の噴霧用エアゾール組成物は、噴霧対象面に対する付着率が３０％以上であって噴射力が３ｇｆ以下であることが好ましい。
【０００９】
また、本発明の噴霧用エアゾール組成物は、噴射音の音圧レベルが６５ｄＢ以下であることが好ましい。
【００１０】
本発明のエアゾール製品は、上記の噴霧用エアゾール組成物がエアゾール用バルブを備えた耐圧容器内に充填されてなるものであり、
エアゾール用バルブがベーパータップを有するハウジングを備え、当該ハウジングには耐圧容器内に充填された噴霧用エアゾール組成物を導入するための下孔と横孔とが形成されており、下孔の面積に対するベーパータップを構成する横孔の面積の比であるベーパータップ比が０．８以下であることを特徴とする。
【発明の効果】
【００１１】
本発明の噴霧用エアゾール組成物によれば、噴射剤として特定の炭化水素系溶剤を特定の割合で含有する混合ガスが用いられていることにより、特定の大きさを有する噴霧粒子により構成される霧状の噴射物が形成されるため、噴射力および噴射音の発生を抑制することができると共に、噴霧対象面に対する優れた付着性が得られる。
【００１２】
本発明のエアゾール製品によれば、上記の噴霧用エアゾール組成物がエアゾール用バルブを備えた耐圧容器よりなるエアゾール容器内に充填されていると共に、当該エアゾール用バルブとして特定の構造を有するものが用いられているため、エアゾール容器内に充填されている内容物を、噴射力および噴射音の発生を抑制しつつ噴霧対象面に対して高い付着率で噴射することができる。
【発明を実施するための最良の形態】
【００１３】
以下、本発明について詳細に説明する。
本発明の噴霧用エアゾール組成物は、その使用目的や用途に応じた種々の成分が含有されてなる原液と、後述する混合ガスからなる噴射剤とにより構成されてなるエアゾール組成物（以下、「特定のエアゾール組成物」ともいう。）であり、エアゾール用バルブを備えた耐圧容器よりなるエアゾール容器内に充填されてエアゾール製品とされる。
この特定のエアゾール組成物は、霧状の噴射物を噴霧対象面としての適用対象個所に付着させ、これにより塗布を行うための表面スプレーに用いられるものである。
【００１４】
特定のエアゾール組成物においては、当該エアゾール組成物全体において、原液の含有割合が４０〜７５質量％であり、かつ噴射剤の含有割合が２５〜６０質量％であることが必要とされるが、好ましくは原液の含有割合が４５〜７０質量％であって噴射剤の含有割合が３０〜５５質量％であり、特に好ましくは原液の含有割合が５５〜６５質量％であって噴射剤の含有割合が３５〜４５質量％である。
【００１５】
特定のエアゾール組成物における原液の含有割合が４０質量％未満である場合、すなわち噴射剤の含有割合が６０質量％を超える場合には、噴射物を構成する噴霧粒子の平均粒子径が過小となると共に、噴霧対象面に対する付着性が小さくなり、また噴射力および噴射音の発生を十分に抑制することができず、特に人体に適用する場合には、適用の際に大きな噴射音が発生すると共に、噴射物が噴霧対象面に対して大きな力で吹き付けられることとなるために良好な使用感を得ることができなくなる。一方、原液の含有割合が７５質量％を超える場合、すなわち噴射剤の含有割合が２５質量％未満である場合には、噴射物を構成する噴霧粒子の平均粒子径が過大となり、そのために噴霧対象面において液ダレが生じ、最終的に当該噴射対象面に対して均一に塗布を行うことができなくなる。
【００１６】
特定のエアゾール組成物の噴射剤は、沸点が−５℃以下である液化ガス（以下、「特定液化ガス」ともいう。）７０〜９５質量％と、沸点が２０〜３８℃である炭化水素系溶剤（以下、「特定炭化水素系溶剤」ともいう。）５〜３０質量％とを含有する混合ガス（以下、「特定混合ガス」ともいう。）よりなるものである。
この噴射剤においては、好ましくは特定液化ガスの含有割合が７０〜９０質量％であって特定炭化水素系溶剤の含有割合が１０〜３０質量％であり、特に好ましくは特定液化ガスの含有割合が７０〜８０質量％であって特定炭化水素系溶剤の含有割合が２０〜３０質量％である。
【００１７】
噴射剤を構成する特定混合ガスにおいて、特定液化ガスの含有割合が７０質量％未満である場合、すなわち特定炭化水素系溶剤の含有割合が３０質量％を超える場合には、噴射物を構成する噴霧粒子の平均粒子径が過大となり、そのために噴霧対象面において液ダレが生じ、最終的に当該噴射対象面に対して均一に塗布を行うことができなくなる。一方、特定液化ガスの含有割合が９５質量％を超える場合、すなわち特定炭化水素系溶剤の含有割合が５質量％未満である場合には、噴射物を構成する噴霧粒子の平均粒子径が過小となると共に、噴霧対象面に対する付着性が小さくなり、また噴射力および噴射音の発生を十分に抑制することができず、特に人体に適用する場合には、適用の際に大きな噴射音が発生すると共に、噴射物が噴霧対象面に対して大きな力で吹き付けられることとなるために良好な使用感を得ることができなくなる。
【００１８】
特定炭化水素系溶剤としては、イソペンタンおよびノルマルペンタンのいずれか一種またはそれらの混合溶剤を用いることが好ましい。
【００１９】
また、特定液化ガスとしては、液化石油ガス（ＬＰＧガス）、イソブタンおよびジメチルエーテル（ＤＭＥ）から選ばれた少なくとも一種または二種以上が組み合わされてなる混合ガスを用いることができる。
【００２０】
特定のエアゾール組成物を構成する原液は、当該エアゾール組成物の使用目的や用途に応じた種々の成分が適宜の含有割合で含有されてなるものであるが、原液を構成する成分の具体例としては、例えば、水、低級アルコール、ヘアセット剤、ヘアトリートメント剤、粘度調整剤、皮膜形成剤、界面活性剤、油性成分（具体的には油脂類、ろう類、炭化水素類、高級脂肪酸類、高級アルコール類、エステル類、シリコーン類等）、薬剤（具体的には紫外線防御剤、収斂剤、鎮痒剤、消炎剤、消臭剤、抑汗剤、美白剤、血行促進剤、皮脂抑制剤等）、保湿剤（具体的には多価アルコール、糖類、生体高分子、天然エキス等）、品質保持剤（具体的には防腐剤、酸化防止剤、金属イオン封鎮剤、ｐＨ調整剤等）香料、顔料、染料、粉末、その他を挙げることができる。
【００２１】
水としては、通常、精製水を用いることが好ましい。
水の含有割合は、原液における０．１〜９９．９質量％であることが好ましい。
【００２２】
低級アルコールとしては、エタノールおよびイソプロピルアルコールなどを用いることができる。
低級アルコールの含有割合は、原液における０．１〜９９．９質量％であることが好ましい。
【００２３】
特定のエアゾール組成物は、霧状の噴射物を形成するものであり、当該霧状の噴射物を構成する噴霧粒子は、その平均粒子径が３０〜８０μｍであることが必要とされるが、好ましくは３５〜７０μｍであり、特に好ましくは４０〜６０μｍである。
ここに、本明細書中において、「噴霧粒子の平均粒子径」とは、霧状の噴射物を構成する噴霧粒子の集合体の全体積を１００％とした場合に当該集合体を構成する噴霧粒子の粒度分布との関係から得られる体積の累積カーブにおいて、累積体積５０％に対応する粒子径であるＤｖ（５０）の値を示す。具体的に、この噴霧粒子の平均粒子径は、例えばレーザー回折式粒度分布測定装置を用い、「ＪＩＳ  Ｚ  ８８２５−１」に準拠して測定することができる。
【００２４】
噴霧粒子の平均粒子径が３０μｍ未満である場合には、噴霧対象面に対する付着性が小さくなり、また噴射力および噴射音の発生を十分に抑制することができず、特に人体に適用する場合には、適用の際に大きな噴射音が発生すると共に、噴射物が噴霧対象面に対して大きな力で吹き付けられることとなるために良好な使用感を得ることができなくなる。一方、噴霧粒子の平均粒子径が８０μｍを超える場合には、噴霧対象面において液ダレが生じ、最終的に当該噴射対象面に対して均一に塗布を行うことができなくなる。
【００２５】
以上の特定のエアゾール組成物においては、噴射によって形成される霧状の噴射物を構成する噴霧粒子の大きさを、発明者等が研究を重ねることにより模索した、霧状の噴射物を噴霧対象面に付着させ、これにより塗布を行うために適切な範囲、具体的には平均粒子径が３０〜８０μｍとなるよう調整することによって噴霧特性、具体的には噴霧対象面に対する付着性、噴射力および噴射音の発生を制御しているが、噴霧粒子の平均粒子径の調整は、発明者等による実験によって明らかとなった、噴射剤として、特定液化ガスと特定炭化水素系溶剤とが混合されてなる混合ガスを用いた場合に、当該混合ガスにおける特定炭化水素系溶剤の含有割合が大きくなるに従って噴霧粒子の平均粒子径が大きくなるという傾向、およびエアゾール組成物における噴射剤の含有割合が小さくなるに従って噴霧粒子の平均粒子径が大きくなるという傾向に基づき、噴射剤として特定炭化水素系溶剤が混合されてなる混合ガスを用いると共に、当該混合ガスにおける特定炭化水素系溶剤の含有割合を特定の範囲内に規定し、かつエアゾール組成物における噴射剤の含有割合を原液の含有割合との関係から特定の範囲内に規定することによって行われる。
【００２６】
ここに、混合ガスにおける特定炭化水素系溶剤の含有割合が大きくなるに従って噴霧粒子の平均粒子径が大きくなる理由は、特定のエアゾール組成物のような噴霧用エアゾール組成物は、噴射剤によって形成される気相の圧力の作用によって原液と噴射剤とが混合されてなる液相が噴射され、その液相よりなる噴射物は当該液相中の噴射剤が気化する際に生じる膨張力によって霧状となって空間中に拡散され、これにより、霧状の噴射物を形成するものであることから、噴射剤に、特定液化ガスに比して蒸気圧が小さく、かつ沸点が高いという特性を有する特定炭化水素系溶剤が混合されることにより、噴射剤における特定炭化水素系溶剤の含有割合を大きくするに従って当該噴射剤自体の蒸気圧が小さくなるため、噴射された液相における噴射剤の気化速度が小さくなり、これにより、噴霧粒子が大きくなるためであると推察される。
また、特定のエアゾール組成物における噴射剤の含有割合が小さくなるに従って噴霧粒子の平均粒子径が大きくなる理由は、噴射剤の含有割合が小さくなることによって噴射された液相よりなる噴射物に生じる膨張力が小さくなるために微細な粒子を形成し難くなり、これにより、噴霧粒子が大きくなるためであると推察される。
【００２７】
従って、特定のエアゾール組成物によれば、噴射剤として、特定液化ガスと共に特定炭化水素系溶剤を特定の割合で含有する特定混合ガスが用いられていることにより、特定の平均粒子径を有する噴霧粒子により構成される噴射物が形成されるため、噴射剤の蒸気圧との関係から噴射時に作用される圧力が小さくなって噴射力および噴射音の発生が抑制され、かつ、噴霧粒子がある程度の大きさを有するものであることから、噴霧対象面に到達することなく浮遊する噴霧粒子の量が小さくなると共に、噴霧対象面に到達するものの跳ね返されてしまう噴霧粒子の量も小さくなることから噴霧対象面の周囲において多量の噴霧粒子が飛散することが抑制されて高い噴霧効率が得られ、また、噴射剤の蒸気圧との関係から噴霧対象面に付着した噴射物に係る蒸発速度が小さくなることも一因となり、噴霧対象面に対して優れた付着性が得られる。
また、特に、特定のエアゾール組成物を人体に適用する場合には、噴霧対象面としての適用対象個所に対する高い付着性が得られると共に、適用の際に大きな噴射音が発生することがなく、また噴射物が適用対象個所に対して大きな力で吹き付けられることもないため、良好な使用感を得ることができる。
【００２８】
このように、特定のエアゾール組成物は、優れた付着性を有するものであるが、具体的には、当該噴霧対象面における付着率が、３０％以上であることが好ましく、特に４０％以上であることが好ましい。
ここに、「付着率」とは、噴射物の総重量に対する噴射直後に噴霧対象面に付着された噴射物の総重量の割合である。
【００２９】
また、特定のエアゾール組成物は、霧状の噴射物を形成するための噴射に係る噴射力が抑制されるものであるが、具体的には、当該噴射力が、３ｇｆ以下であることが好ましく、特に２．５ｇｆ以下であることが好ましい。
ここに、「噴射力」とは、５秒間の噴射対象面に対する噴射によって当該噴射対象面に加えられる荷重の最大値である。
【００３０】
更に、特定のエアゾール組成物は、霧状の噴射物を形成するための噴射に係る噴射音の発生が抑制されるものであるが、具体的には、その音圧レベルが、６５ｄＢ以下であることが好ましい。
ここに、「噴射音の音圧レベル」とは、５秒間の噴射によって噴射位置からの離間距離が１５ｃｍの位置において測定される音圧レベルの最大値である。
【００３１】
このような特定のエアゾール組成物は、例えば、ヘアセットスプレー、ヘアトリートメントスプレー、ヘアカラースプレー、頭髪用ツヤだしスプレー、ヘアトニック、フレグランススプレー、日焼け止めスプレー、筋肉消炎剤、化粧水、ボディーローション、帯電防止剤、ガラスクリーナー、防曇剤、除菌・消臭剤などの種々の表面スプレーとして用いることができる。
【００３２】
上記の特定のエアゾール組成物は、原液を構成すべき各成分を適宜の条件下において混合することによって原液を調製し、この原液を噴射剤と共にエアゾール用バルブ備えた耐圧容器よりなるエアゾール容器内に充填することによってエアゾール製品とされるが、特に、図１および図２に示すような、ベーパータップが設けられたハウジングを有するエアゾール用バルブを備えたエアゾール容器（以下、「特定エアゾール容器」ともいう。）内に密閉状態で充填されてエアゾール製品とされる場合には、後述するようにベーパータップ比を調整することにより、その噴霧特性を制御することができる。
【００３３】
この特定エアゾール容器は、エアゾール用バルブ２０と、その上部開口にマウンテンカップガスケット１３を介してマウンテンカップ１２が気密に設けられている耐圧容器１０とを備えてなるものである。
【００３４】
エアゾール用バルブ２０は、マウンテンカップ１２に保持されたハウジング２１と、このハウジング２１内で上下方向に移動可能に配置されたステム２５と、このステム２５を上方に押し上げるよう抑制するスプリング２７と、環状のステムガスケット３０とにより構成されている。
【００３５】
ステム２５は、内部にステム通路３２を有しており、このステム２５には、その外周面に開口するステム孔３４が径方向に伸びてステム通路３２に連通するよう形成されている。
このステム２５の上端には、ボタン３８を備えたアクチュエータ３７が設けられており、当該アクチュエータ３７には、ステム２５のステム通路３２に連通するアクチュエータ通路３９を介して噴射口４０が形成されている。
【００３６】
ハウジング２１には、その下端に設けられた耐圧容器１０の下部に伸びるディップチューブ３６を介して耐圧容器１０内に充填されている特定のエアゾール組成物に係る液体をエアゾール用バルブ２０に導入するための下孔２１Ａと、当該特定のエアゾール組成物に係る気体をエアゾール用バルブ２０に導入するためのベーパータップを構成する横孔２１Ｂとが形成されている。
【００３７】
このようなエアゾール用バルブ２０を有する特定エアゾール容器では、アクチュエータ３７が押下操作されない非動作時には、スプリング２７によってステム２５が上方に押し上げられてステム孔３４の開口が当該ステムガスケット３０により塞がれた状態とされることにより、耐圧容器１０の内部に連通するハウジング２１内の空間Ｓがステム通路３２と遮断された状態とされる。
【００３８】
一方、アクチュエータ３７により、スプリング２７に抗してバルブが押下操作された動作時は、ステム２５によって押し下げられるためにステムガスケット３０の内周面部分が下方に湾曲した状態となり、ステム孔３４の開口がステムガスケット３０より下方に外れた位置となるためにハウジング２１内の空間Ｓと連通された状態となり、これにより、耐圧容器１０内の特定のエアゾール組成物は、ディップチューブ３６および下孔２１Ａにより形成される液体用流路と、横穴２１Ｂにより形成される気体用流路とを流通し、ハウジング２１内の空間Ｓ、ステム孔３４、ステム通路３２およびアクチュエータ通路３９を介して噴射口４０から噴霧粒子として噴射される。
【００３９】
このような特定エアゾール容器のエアゾール用バルブ２０においては、ハウジング２１に形成されている下孔２１Ａと横孔２１Ｂとは、その大きさが、下孔２１Ａの面積に対する横孔２１Ｂの面積の比であるベーパータップ比（以下、「ＶＴ比」ともいう。）が０．８以下であることが好ましく、特に０．６５以下であることが好ましい。
【００４０】
ＶＴ比が過大である場合には、一の噴射に用いられる噴射剤よりなる気体の量が大きくなる、すなわち一の噴射に供される特定のエアゾール組成物中における噴射剤の含有割合が大きくなることから、噴射物を構成する噴霧粒子の平均粒子径が過小となると共に、噴霧対象面に対する付着率が小さくなるおそれがある。
【００４１】
ハウジング２１における下孔２１Ａおよび横孔２１Ｂの具体的な寸法としては、例えば下孔２１Ａの外径が０．６４ｍｍである場合には、横孔２１Ｂの外径は０．３３〜０．５１ｍｍである。
【００４２】
このような特定エアゾール容器を備えたエアゾール製品によれば、特定のエアゾール組成物がエアゾール容器内に充填されていると共に、エアゾール用バルブとして特定の構造を有する、具体的には特定のＶＴ比を有するハウジングを備えたエアゾール用バルブが用いられているため、エアゾール容器内に充填されている内容物を、噴射力および噴射音の発生を抑制しつつ噴霧対象面に対して高い付着率で噴射することができる。
【実施例】
【００４３】
以下、本発明の実施例について説明するが、本発明はこれらにより限定されるものではない。
【００４４】
〔実施例１〜８および比較例１〜７〕
表１および表２に示す配合処方に従って、各成分を混合させて原液を調製し、この原液を噴射剤と共に、表１および表２に示すＶＴ比を有する孔が形成されたハウジングを有するエアゾール用バルブを備えたエアゾール容器（図１および図２参照）を構成する耐圧容器内に充填することにより、エアゾール製品を作製した。
ここに、実施例１〜実施例５および実施例８並びに比較例１〜比較例７に係るエアゾール製品は、各々、ヘアスプレーとして用いられるものであり、実施例６に係るエアゾール製品は、リセットタイプヘアスプレーとして用いられるものであり、実施例７に係るエアゾール製品は、ボティーローションスプレーとして用いられるものである。
また、比較例１、比較例２および比較例５は、噴射剤に特定炭化水素系溶剤が含有されていない場合の例であり、比較例３は、エアゾール組成物における原液の含有割合が過大であり、噴霧粒子の平均粒子径が過大である場合の例であり、比較例４は、エアゾール組成物における原液の含有割合が過小である場合の例であり、比較例６は、ＶＴ比が過大であることに起因して噴霧粒子の平均粒子径が過小である場合の例であり、比較例７は、噴射剤における特定炭化水素系溶剤の割合が過大である場合の例である。
【００４５】
＜エアゾール組成物の評価試験＞
上記の実施例１〜８および比較例１〜７において作製したエアゾール製品に係る耐圧容器内に充填されている、調製されたエアゾール組成物の各々について、下記の手法により、噴射物を構成する噴霧粒子の平均粒子径を、「ＪＩＳ  Ｚ  ８８２５−１」に準拠して確認すると共に、付着性、噴射力の大きさおよび噴射音の大きさを評価した。結果を表１および表２に示す。
【００４６】
（１）噴霧粒子の平均粒子径
レーザー回折式粒度分布測定装置「スプレーテックＲＴＳ５００」（シスメック社製）を用い、実施例および比較例の各々により形成されたエアゾール製品の内容物を空気中に３秒間噴射させ、この噴射物に対して離間距離１５ｃｍの位置からレーザービームを照射し、多素子検出器が検出する回折像群に基づいて、噴射物を構成する噴霧粒子の集合体の全体積を１００％とすることによって当該集合体を構成する噴霧粒子の粒度分布との関係から得られる体積の累積カーブにおいて、累積体積５０％に対応する粒子径であるＤｖ（５０）の値を測定し、この値を噴霧粒子の平均粒子径として評価した。
【００４７】
（２）付着性
実施例および比較例の各々により形成されたエアゾール製品の内容物を、当該エアゾール製品との離間距離１５ｃｍの位置に配置した縦３０ｃｍ、横３０ｃｍの矩形状の濾紙よりなる測定用パネルに向かって５秒間噴射させ、この噴射された噴射物の総重量（以下、「噴射総重量」ともいう。）と共に、噴射直後にパネルに付着している噴射物の重量（以下、「付着重量」ともいう。）を測定し、これらの測定値から算出される、噴射総重量に対する付着重量の百分率の値を付着率として付着性を評価した。
【００４８】
（３）噴射力
実施例および比較例の各々により形成されたエアゾール製品の内容物を、当該エアゾール製品との離間距離１５ｃｍの位置に配置した、ひずみゲージ式荷重変換器を備えた直径１５ｃｍの円盤状のステンレス板よりなる測定用パネルに向かって５秒間噴射させ、このひずみゲージ式荷重変換器によって測定される、測定パネルに加えられた荷重の最大値を噴射力として評価した。
【００４９】
（４）噴射音
普通騒音計「ＬＡ−２１５」（小野計測器社製）を用い、実施例および比較例の各々により形成されたエアゾール製品の内容物を５秒間噴射させた際に、当該エアゾール製品との離間距離１５ｃｍの位置に配置された普通騒音計の音検知部によって測定される音圧レベルの最大値を噴射音の音圧レベルとして評価した。
【００５０】
【表１】
2007031479.tif 000002
【００５１】
【表２】
2007031479.tif 000003
【００５２】
表１および表２において、ＶＴ比が「０」とは、エアゾール用バルブを構成するハウジングに横孔が形成されておらず、下孔のみが形成されている状態を示す。
また、アクリル樹脂アルカノールアミン液「プラサイズＬ−９４００」および「プラサイズＬ−９８５０５」は、各々、互応化学社製のものであり、香料「ＦＬＯＲＡＬ  ＡＲ１２３０２」および「ＬＥＭＯＮ  ＡＲ１１５７９」は、各々、小川香料社製のものであり、エタノールとしては、日本アルコール販売社製の「９９％エタノール」を用い、ジプロピレングリコールとしては、市販されている旭電化工業社製のものを用い、イソステアリルグリセリルとしては、花王社製の「ペノトールＧＦ−ＩＳ」を用い、１，３−ブチレングリコールとしては、市販されているダイセル化学工業社製のものを用い、パラフェノールスルホン酸亜鉛としては、マツモト交商社製の「スルホ石炭酸亜鉛」を用い、メントールとしては、高砂香料社製の「メントールＪＰ」を用い、シクロメチコンとしては、東レ・ダウコーニング社製の「ＳＨ  ２４５」を用い、グリセリンとしては、花王社製の「濃グリセリン」を用い、ソルビトールとしては、市販されている花王社製のものを用い、アロエ抽出液としては、一丸ファルコス社製の「アロエエキスベラ」を用いた。
【００５３】
表１および表２から明らかなように、実施例１〜８に係るエアゾール組成物は、噴霧対象面に対する付着率が３０％以上と良好な付着性が得られると共に、適用の際において、噴射力を３ｇｆ以下となるレベルに抑制することができ、しかも噴射音を、音圧レベルが６５ｄＢ以下となるレベルに抑制することのできるものであることが確認された。
これに対し、比較例１、比較例２および比較例５に係るエアゾール組成物は、各々、噴射剤に特定炭化水素系溶剤が含有されていないことから、噴射力が３ｇｆを超えるレベルと大きくなり、特に比較例５に係るエアゾール組成物は、噴射音も音圧レベルが６５ｄＢを超えるレベルに大きくなるものであることが確認され、比較例３に係るエアゾール組成物は、エアゾール組成物における原液の含有割合が過大であることから、噴射物を構成する噴霧粒子の平均粒子径が過大となるものであり、更に噴霧対象面において液ダレが生じるものであることが確認され、比較例４に係るエアゾール組成物は、エアゾール組成物における原液の含有割合が過小であることから、噴霧対象面に対する付着率が３０％未満と小さくなり、噴射音がその音圧レベルが６５ｄＢを超えるレベルに大きくなるものであることが確認され、比較例６に係るエアゾール組成物は、ＶＴ比が過大であることに起因して噴霧粒子の平均粒子径が過小となり、噴霧対象面に対する付着率が３０％未満と小さくなるものであることが確認され、また、比較例７に係るエアゾール組成物は、噴射剤における特定炭化水素系溶剤が過大であることから、噴射物を構成する噴霧粒子の平均粒子径が過大となるものであり、更に噴霧対象面において液ダレが生じるものであることが確認された。
【００５４】
また、特にエアゾール組成物がベーパータップが設けられたハウジングを有するエアゾール用バルブを備えたエアゾール容器に充填されてなる構成の実施例４および実施例５に係るエアゾール製品においては、比較例６に係るエアゾール製品と比較すると明らかなように、ＶＴ比が０．８以下であることから、噴射物を構成する噴霧粒子の平均粒子径が大きくなり、高い付着率が得られることが確認された。
【図面の簡単な説明】
【００５５】
【図１】本発明のエアゾール製品において用いられるエアゾール容器の一例を示す説明図である。
【図２】図１のエアゾール容器を構成するエアゾール用バルブを拡大して示す説明図である。
【符号の説明】
【００５６】
１０    耐圧容器
１２    マウンテンカップ
１３    マウンテンカップガスケット
２０    エアゾール用バルブ
２１    ハウジング
２１Ａ    下孔
２１Ｂ    横孔
２５    ステム
２７    スプリング
３０    ステムガスケット
３２    ステム通路
３４    ステム孔
３６    ディップチューブ
３７    アクチュエータ
３８    ボタン
３９    アクチュエータ通路
４０    噴射口
【図１】
2007031479.tif 000004
【図２】
2007031479.tif 000005
【手続補正書】
【提出日】平成17年7月29日(2005.7.29)
【手続補正１】
【補正対象書類名】明細書
【補正対象項目名】００１５
【補正方法】変更
【補正の内容】
【００１５】
特定のエアゾール組成物における原液の含有割合が４０質量％未満である場合、すなわち噴射剤の含有割合が６０質量％を超える場合には、噴射物を構成する噴霧粒子の平均粒子径が過小となると共に、噴霧対象面に対する付着性が小さくなり、また噴射力および噴射音の発生を十分に抑制することができず、特に人体に適用する場合には、適用の際に大きな噴射音が発生すると共に、噴射物が噴霧対象面に対して大きな力で吹き付けられることとなるために良好な使用感を得ることができなくなる。一方、原液の含有割合が７５質量％を超える場合、すなわち噴射剤の含有割合が２５質量％未満である場合には、噴射物を構成する噴霧粒子の平均粒子径が過大となり、そのために噴霧対象面において液ダレが生じ、最終的に当該噴霧対象面に対して均一に塗布を行うことができなくなる。
【手続補正２】
【補正対象書類名】明細書
【補正対象項目名】００１７
【補正方法】変更
【補正の内容】
【００１７】
噴射剤を構成する特定混合ガスにおいて、特定液化ガスの含有割合が７０質量％未満である場合、すなわち特定炭化水素系溶剤の含有割合が３０質量％を超える場合には、噴射物を構成する噴霧粒子の平均粒子径が過大となり、そのために噴霧対象面において液ダレが生じ、最終的に当該噴霧対象面に対して均一に塗布を行うことができなくなる。一方、特定液化ガスの含有割合が９５質量％を超える場合、すなわち特定炭化水素系溶剤の含有割合が５質量％未満である場合には、噴射物を構成する噴霧粒子の平均粒子径が過小となると共に、噴霧対象面に対する付着性が小さくなり、また噴射力および噴射音の発生を十分に抑制することができず、特に人体に適用する場合には、適用の際に大きな噴射音が発生すると共に、噴射物が噴霧対象面に対して大きな力で吹き付けられることとなるために良好な使用感を得ることができなくなる。
【手続補正３】
【補正対象書類名】明細書
【補正対象項目名】００２４
【補正方法】変更
【補正の内容】
【００２４】
噴霧粒子の平均粒子径が３０μｍ未満である場合には、噴霧対象面に対する付着性が小さくなり、また噴射力および噴射音の発生を十分に抑制することができず、特に人体に適用する場合には、適用の際に大きな噴射音が発生すると共に、噴射物が噴霧対象面に対して大きな力で吹き付けられることとなるために良好な使用感を得ることができなくなる。一方、噴霧粒子の平均粒子径が８０μｍを超える場合には、噴霧対象面において液ダレが生じ、最終的に当該噴霧対象面に対して均一に塗布を行うことができなくなる。
【手続補正４】
【補正対象書類名】明細書
【補正対象項目名】００２８
【補正方法】変更
【補正の内容】
【００２８】
このように、特定のエアゾール組成物は、優れた付着性を有するものであるが、具体的には、噴霧対象面における付着率が、３０％以上であることが好ましく、特に４０％以上であることが好ましい。
ここに、「付着率」とは、噴射物の総重量に対する噴射直後に噴霧対象面に付着された噴射物の総重量の割合である。
【手続補正５】
【補正対象書類名】明細書
【補正対象項目名】００２９
【補正方法】変更
【補正の内容】
【００２９】
また、特定のエアゾール組成物は、霧状の噴射物を形成するための噴射に係る噴射力が抑制されるものであるが、具体的には、当該噴射力が、３ｇｆ以下であることが好ましく、特に２．５ｇｆ以下であることが好ましい。
ここに、「噴射力」とは、５秒間の噴霧対象面に対する噴射によって当該噴霧対象面に加えられる荷重の最大値である。
【手続補正６】
【補正対象書類名】明細書
【補正対象項目名】００３２
【補正方法】変更
【補正の内容】
【００３２】
上記の特定のエアゾール組成物は、原液を構成すべき各成分を適宜の条件下において混合することによって原液を調製し、この原液を噴射剤と共にエアゾール用バルブを備えた耐圧容器よりなるエアゾール容器内に充填することによってエアゾール製品とされるが、特に、図１および図２に示すような、ベーパータップが設けられたハウジングを有するエアゾール用バルブを備えたエアゾール容器（以下、「特定エアゾール容器」ともいう。）内に密閉状態で充填されてエアゾール製品とされる場合には、後述するようにベーパータップ比を調整することにより、その噴霧特性を制御することができる。
【手続補正７】
【補正対象書類名】明細書
【補正対象項目名】００４４
【補正方法】変更
【補正の内容】
【００４４】
〔実施例１〜８および比較例１〜７〕
表１および表２に示す配合処方に従って、各成分を混合させて原液を調製し、この原液を噴射剤と共に、表１および表２に示すＶＴ比を有する孔が形成されたハウジングを有するエアゾール用バルブを備えたエアゾール容器（図１および図２参照）を構成する耐圧容器内に充填することにより、エアゾール製品を作製した。
ここに、実施例１〜実施例５および実施例８並びに比較例１〜比較例７に係るエアゾール製品は、各々、ヘアスプレーとして用いられるものであり、実施例６に係るエアゾール製品は、リセットタイプヘアスプレーとして用いられるものであり、実施例７に係るエアゾール製品は、ボディーローションスプレーとして用いられるものである。
また、比較例１、比較例２および比較例５は、噴射剤に特定炭化水素系溶剤が含有されていない場合の例であり、比較例３は、エアゾール組成物における原液の含有割合が過大であり、噴霧粒子の平均粒子径が過大である場合の例であり、比較例４は、エアゾール組成物における原液の含有割合が過小である場合の例であり、比較例６は、ＶＴ比が過大であることに起因して噴霧粒子の平均粒子径が過小である場合の例であり、比較例７は、噴射剤における特定炭化水素系溶剤の割合が過大である場合の例である。
【手続補正８】
【補正対象書類名】明細書
【補正対象項目名】００５０
【補正方法】変更
【補正の内容】
【００５０】
【表１】
2007031479.tif 000006
【手続補正９】
【補正対象書類名】明細書
【補正対象項目名】００５１
【補正方法】変更
【補正の内容】
【００５１】
【表２】
2007031479.tif 000007
【手続補正１０】
【補正対象書類名】明細書
【補正対象項目名】００５２
【補正方法】変更
【補正の内容】
【００５２】
表１および表２において、ＶＴ比が「０」とは、エアゾール用バルブを構成するハウジングに横孔が形成されておらず、下孔のみが形成されている状態を示す。
また、アクリル樹脂アルカノールアミン液「プラスサイズＬ−９４００」および「プラスサイズＬ−９８５０５」は、各々、互応化学社製のものであり、香料「ＦＬＯＲＡＬ  ＡＲ１２３０２」および「ＬＥＭＯＮ  ＡＲ１１５７９」は、各々、小川香料社製のものであり、エタノールとしては、日本アルコール販売社製の「９９％エタノール」を用い、ジプロピレングリコールとしては、市販されている旭電化工業社製のものを用い、イソステアリルグリセリルとしては、花王社製の「ペノトールＧＦ−ＩＳ」を用い、１，３−ブチレングリコールとしては、市販されているダイセル化学工業社製のものを用い、パラフェノールスルホン酸亜鉛としては、マツモト交商社製の「スルホ石炭酸亜鉛」を用い、メントールとしては、高砂香料社製の「メントールＪＰ」を用い、シクロメチコンとしては、東レ・ダウコーニング社製の「ＳＨ  ２４５」を用い、グリセリンとしては、花王社製の「濃グリセリン」を用い、ソルビトールとしては、市販されている花王社製のものを用い、アロエ抽出液としては、一丸ファルコス社製の「アロエエキスベラ」を用いた。